(57)【特許請求の範囲】
【請求項１】
送風機と、前記送風機のケーシングおよび前記送風機の上部に備えた熱交換器などを備えた温風暖房機において、下吹き暖房時に室内空気を吸い込むための下吹き用吸い込み口と上吹き暖房時に室内空気を吸い込むために床面近傍に設けた上吹き用吸い込み口とを切り換える風回路切り換え手段と、上吹き暖房時に前記熱交換器をバイパスし、かつ、前記熱交換器よりも背面側に位置するバイパス風回路と、上吹き暖房時に前記熱交換器を通過した空気を吹き出す温側吹き出し口と、上吹き暖房時に前記熱交換器をバイパスした空気を吹き出す冷側吹き出し口と、前記温側吹き出し口に設けた温側風向変更羽根と、前記冷側吹き出し口に設けた冷側風向変更羽根と、前記温側風向変更羽根と前記冷側風向変更羽根との開閉を切り替える風向変更手段とを備えて、暖房負荷の大小に応じて前記風回路切り換え手段は前記下吹き暖房、上吹き暖房を切り替える温風暖房機。
【請求項２】
上吹き暖房時は下吹き用吸い込み口を遮蔽する遮蔽板を設けた請求項１記載の温風暖房機。
【請求項３】
上吹き暖房運転の暖房負荷が大きい時には、温側吹き出し口を開き、かつ、冷側吹き出し口を閉じた温風単独吹き出し運転と、温側吹き出し口を開き、かつ、冷側吹き出し口を開いた温冷風同時吹き出し運転とを交互に設定するように温側風向変更羽根と冷側風向変更羽根を駆動する風向変更手段を制御する風向変更羽根制御手段を備えていることを特徴とする請求項１または２に記載の温風暖房機。
【請求項４】
上下温度差が極小になるように、温風単独吹き出し運転と温冷風同時吹き出し運転との周期を決定し制御する風向変更羽根制御手段を備えていることを特徴とする請求項３記載の温風暖房機。
【請求項５】
温風単独吹き出し運転の運転騒音と温冷風同時吹き出し運転の運転騒音とが等しくなるように、送風機を制御する送風機制御手段を備えていることを特徴とする請求項３記載の温風暖房機。
【請求項６】
上吹き暖房運転の暖房負荷が小さい時には、温側吹き出し口を閉じ、かつ、冷側吹き出し口を開いた冷風単独吹き出し運転と、温側吹き出し口を開き、かつ、冷側吹き出し口を開いた温冷風同時吹き出し運転とを交互に設定するように温側風向変更羽根と冷側風向変更羽根を駆動する風向変更手段を制御する風向変更羽根制御手段を備えていることを特徴とする請求項２に記載の温風暖房機。
【請求項７】
上下温度差が極小になるように、冷風単独吹き出し運転と温冷風同時吹き出し運転との周期を決定し制御する風向変更羽根制御手段を備えていることを特徴とする請求項６記載の温風暖房機。
【請求項８】
冷風単独吹き出し運転の運転騒音と温冷風同時吹き出し運転の運転騒音とが等しくなるように、送風機を制御する送風機制御手段を備えていることを特徴とする請求項６記載の温風暖房機。
【請求項９】
上吹き暖房運転の能力制御時に冷側吹き出し口の開口面積を変化させる冷側風向変更羽根を駆動する風向変更手段を制御する風向変更羽根制御手段を備えた請求項１または２に記載の温風暖房機。
【請求項１０】
上吹き暖房時に室温が設定温度近傍になれば温側吹き出し口を閉じるように風向変更手段を制御する風向変更羽根制御手段を備えた請求項１または２に記載の温風暖房機。
【発明の詳細な説明】
【０００１】
【発明の属する技術分野】
本発明は、温風を吹き出して暖房を行う温風暖房機に関するものである。
【０００２】
【従来の技術】
従来のこの種の温風暖房機は図３０に示すようなものが一般的に知られている。
【０００３】
以下、その構成について図３０を参照しながら説明する。同図に示すように、シスターン１、ボイラ２、ポンプ３から構成された室外機４は、上方に配置した熱交換器５や下方に配置した送風機６から構成された室内機７と、接続配管８で接続されている。また、前記室内機７の上部には室内空気の吸い込み口９が、下部には吹き出し口１０が設けらている。１１は室温検出手段を示す。
【０００４】
この温風暖房機の動作を説明する。室外機４のボイラ２が動作してポンプ３によって室内機７に送られてきた温水の温度が所定の温度以上になれば、送風機６が運転を開始し、室内の空気は上部に設けた吸い込み口９から吸い込まれ、熱交換器５で温水と熱交換して加熱されて温風となって下部に設けられた吹き出し口１０から吹き出される。そして、室温検出手段１１が検出した吸い込み空気温度が設定温度以上になれば送風機６を停止し、低くなれば送風機６を再運転することによって室内温度を制御している。さらに、能力制御や低騒音化や気流感の防止のために、室温検出手段１１で検出した吸い込み空気温度と設定温度との差に応じて、強風、弱風、微風というように、吸い込み温度が設定温度に近づくほど風量を小さくしている。
【０００５】
また、上下吹き出しを切り換えるこの種の温風暖房機としては、特公昭６１−３８７７７号報に記載されているようなものがある。この温風暖房機は図３１の動作構成図１、２に示すように、室内機７の前面には吸い込み口９が形成それ、さらに前面下部と上部には下吹き出し口１０Ａおよび上吹き出し口１０Ｂがそれぞれ形成されている。そして、前記吸い込み口９に対向する位置に熱交換器５が設けられ、さらに、この熱交換器５に対応して送風機６が設けられている。また、下吹き出し口１０Ａ、上吹き出し口１０Ｂにそれぞれ対応して設けられた下部ダンパ１２Ａ、上部ダンパ１２Ｂは吹き出し口切り換え手段としてのダンパモータ１３で切り換えを行う。
【０００６】
この温風暖房機の動作を説明する。室内温度が設定温度以下の場合には、ダンパモータ１３が動作して、図３１（ａ）に示すように、下部ダンパ１２Ａで下吹き出し口１０Ａを開き、上部ダンパ１２Ｂで上吹き出し口１０Ｂを閉じ、下吹き出し口１０Ａから温風を吹き出す。また、室内温度が設定温度以上になり暖房運転中断の場合には、図３１（ｂ）に示すように、ダンパモータ１３が動作して下部ダンパ１２Ａで下吹き出し口１０Ａを閉じ、上部ダンパ１２Ｂで上吹き出し口１０Ｂを開き、上吹き出し口１０Ｂから風を吹き出す。
【０００７】
【発明が解決しようとする課題】
上記図３０、図３１に示す従来例の温風暖房機では、室内温度の吸い込み温度が設定温度に近づくほど風量を小さくしていたため、温風はすぐに上昇し、部屋の温度分布が悪いものであった。
【０００８】
また、図３２は室内機７が設置された部屋の空間の斜視図であり、図３３は図３２のＡ面における弱風や微風時の温度分布を示したものである。図３４は図３２のＢ、Ｃ面各面それぞれの、各高さにおいて水平方向の温度の平均を求めて、その分布を示したものである。なお、一点鎖線は部屋全体の平均温度である。両図からわかるように弱風や微風のように風量が小さくなると、温風の温度は高くなり、すぐに上昇し、さらに、吸い込み口９が吹き出し口１０よりも上部にあるため上昇した温風は床面付近に戻ることがないため、温風暖房機の付近や天井近くは温かいがそれ以外の場所の温度が低くなっている。そのため、快適な居住空間が狭く、部屋全体を有効に使えないという課題を有していた。
【０００９】
この課題を解決するために、仮に風量を大きくする（室温が設定温度に近づくと必要暖房能力が小さくなるので風量を大きくすると温水温度を下げるなどして吹き出し温度を下げなければならない）と、気流感や冷風感があり、また、騒音も大きくなるので、快適性が損なわれるという課題がある。
【００１０】
また、前述したように、室内温度の吸い込み温度が設定温度に近づくほど風量を小さくするように制御しているので、室温の変動に応じて送風機６の回転数が変化し、それに伴って騒音値も変化するため、耳障りで不快であった。
【００１１】
さらに、室内温度の吸い込み温度が設定温度以上になると送風機６を停止するため、天井付近の温度は余り変化しないが、床面温度は比較的速く温度が下がり、すぐに足元が寒くなるという課題がある。
【００１２】
また、上記図３１の従来例の温風暖房機の場合も、基本的には図３０の従来例の温風暖房機の場合と同様、風量が小さいと部屋の温度分布が悪くなり、風量が大きいと騒音や気流感や冷風感があるので、快適性が損なわれるという課題がある。そこで本発明は上記する従来例の課題を解決することを目的とするものである。
【００１３】
【課題を解決するための手段】
本発明は上記課題を解決するため、送風機と、前記送風機のケーシングおよび前記送風機の上部に備えた熱交換器などを有した温風暖房機において、下吹き暖房時に室内空気を吸い込むための下吹き用吸い込み口と上吹き暖房時に室内空気を吸い込むために床面近傍に設けた上吹き用吸い込み口とを切り換える風回路切り換え手段と、上吹き暖房時に前記熱交換器をバイパスし、かつ、前記熱交換器よりも背面側に位置するバイパス風回路と、上吹き暖房時に前記熱交換器を通過した空気を吹き出す温側吹き出し口と、上吹き暖房時に前記熱交換器をバイパスした空気を吹き出す冷側吹き出し口と、前記温側吹き出し口に設けた温側風向変更羽根と、前記冷側吹き出し口に設けた冷側風向変更羽根と、前記温側風向変更羽根と前記冷側風向変更羽根との開閉を切り替える風向変更手段とを具備したものである。
【００１４】
上記発明によれば暖房負荷が小さい場合、上吹き出し口から吹き出した比較的低温の温風が、部屋全体に循環した後、床面近傍に設けた上吹き用吸い込み口から吸い込まれるので部屋の上下温度差が小さく、気流感、冷風感もない、快適な居住空間を得ることができる。
【００１５】
【発明の実施の形態】
本発明は、送風機と、前記送風機のケーシングおよび前記送風機の上部に備えた熱交換器などを有した温風暖房機において、下吹き暖房時に室内空気を吸い込むための下吹き用吸い込み口と上吹き暖房時に室内空気を吸い込むために床面近傍に設けた上吹き用吸い込み口とを切り換える風回路切り換え手段と、上吹き暖房時に前記熱交換器をバイパスし、かつ、前記熱交換器よりも背面側に位置するバイパス風回路と、上吹き暖房時に前記熱交換器を通過した空気を吹き出す温側吹き出し口と、上吹き暖房時に前記熱交換器をバイパスした空気を吹き出す冷側吹き出し口と、前記温側吹き出し口に設けた温側風向変更羽根と、前記冷側吹き出し口に設けた冷側風向変更羽根と、前記温側風向変更羽根と前記冷側風向変更羽根との開閉を切り替える風向変更手段とを設けたものである。
【００１６】
そして、上吹き出し口から吹き出した温風が、天井面に達して全体に広がり、さらに、壁面に沿って降下し床面に達した後、床面に沿って流れ、床面近傍に設けた上吹き用吸い込み口から吸い込まれるので、部屋の上下温度差が小さく、気流が部屋全体に広がるので気流感、冷風感もなく、快適な居住空間を得ることができる。
【００１７】
さらに、上吹き暖房時に下吹き用吸い込み口を遮蔽する遮蔽板を設けることにより、温側吹き出し口から吹き出された比較的高い温度の温風の吹き出し速度を大きくできるため、より遠くまで循環するので、部屋の上下温度差が小さく、快適な居住空間を得ることができる。
【００１８】
また、上吹き暖房運転の暖房負荷が大きい時には、温側吹き出し口を開き、かつ、冷側吹き出し口を閉じた温風単独吹き出し運転と、温側吹き出し口を開き、かつ、冷側吹き出し口を開いた温冷風同時吹き出し運転とを交互に設定するように温側風向変更羽根と冷側風向変更羽根を駆動する風向変更手段を制御する風向変更羽根制御手段を有するものである。
【００１９】
そして、高能力の温風単独吹き出し運転で吹き出された高温の空気を中能力の温冷風同時吹き出し運転で吹き出された比較的低温の空気で押し下げて部屋全体を循環させるので部屋の上下温度差が小さく、かつ、高能力の温風単独吹き出し運転を行うため、比較的風量が少なく、低騒音の快適な居住空間を得ることができる。
【００２０】
さらに、上下温度差が極小になるように、温風単独吹き出し運転と温冷風同時吹き出し運転との周期を決定し制御する風向変更羽根制御手段を有するものである。
【００２１】
そして、部屋の上下温度差の変動が小さくなるように温風単独吹き出し運転と温冷風同時吹き出し運転との周期を制御するので、部屋の上下温度差が小さく、かつ、低騒音の快適な居住空間を得ることができる。
【００２２】
さらに、温風単独吹き出し運転の運転騒音と温冷風同時吹き出し運転の運転騒音とが等しくなるように、送風機を制御する送風機制御手段を設けることにより、運転騒音の変動の少ない低騒音の快適な居住空間を得ることができる。
【００２３】
さらに、上吹き暖房運転の暖房負荷が小さい時には、温側吹き出し口を閉じ、かつ、冷側吹き出し口を開いた冷風単独吹き出し運転と、温側吹き出し口を開き、かつ、冷側吹き出し口を開いた温冷風同時吹き出し運転とを交互に設定するように温側風向変更羽根と冷側風向変更羽根を駆動する風向変更手段を制御する風向変更羽根制御手段を設けることにより、中能力の温冷風同時吹き出し運転で吹き出された比較的低温の空気を、低能力の冷風単独吹き出し運転で吹き出された室温に近い温度の空気で押し下げて部屋全体を循環させるので、部屋の上下温度差が小さい快適な居住空間を得ることができる。
【００２４】
さらに、上下温度差が極小になるように、冷風単独吹き出し運転と温冷風同時吹き出し運転との周期を決定し制御する風向変更羽根制御手段を設けることにより、部屋の上下温度差の変動が小さくなるように冷風単独吹き出し運転と温冷風同時吹き出し運転との周期を制御するので、部屋の上下温度差が小さい快適な居住空間を得ることができる。
【００２５】
さらに、冷風単独吹き出し運転の運転騒音と温冷風同時吹き出し運転の運転騒音とが等しくなるように、送風機を制御する送風機制御手段を設けることにより、運転騒音の変動の少ない低騒音の快適な居住空間を得ることができる。
【００２６】
さらに、上吹き暖房運転の能力制御時に冷側吹き出し口の開口面積を変化させる冷側風向変更羽根を駆動する風向変更手段を制御する風向変更羽根制御手段を設けることにより、冷側風向変更羽根の駆動で温側吹き出し口から吹き出される風量を制御するため、騒音の変動を少なくすることができる。
【００２７】
さらに、上吹き暖房時に室温が設定温度近傍になれば温側吹き出し口を閉じるように制御する風向変更手段を有するものである。
【００２８】
そして、室温が設定温度に達して暖房を停止している時に、冷側吹き出し口から比較的低い温度の温風を吹き出して、天井面付近に滞留している暖かい空気を床面に押し下げ、さらに、床面に沿って流れ、上吹き用吸い込み口から吸い込まれるので、暖房停止時にも床面付近の温度が下がらず、快適な居住空間を得ることができる。
【００２９】
【実施例】
以下、本発明の実施例について図面を用いて説明する。
【００３０】
（実施例１）
図１は本発明の実施例１の温風暖房機の上吹き出し状態を示す構成図、図２は同温風暖房機の下吹き出し状態を示す構成図、図３は同温風暖房機の上吹き出し風量に対する上下温度差を示す説明図、図４は同温風暖房機の熱交換器通過風量に対する熱交換器の暖房能力を示す説明図、図５は同温風暖房機の気流説明図、図６は同温風暖房機の垂直温度分布説明図である。
【００３１】
図１において、シスターン１、ボイラ２およびポンプ３を順次連結して構成される室外機４と、熱交換器５、送風機６などから構成される室内機７とは接続配管８で接続されている。前記室内機７の前面の上側には下吹き用吸い込み口９Ａが、背面の下部には上吹き用吸い込み口９Ｂが設けられている。さらに、前記室内機７の前面の下側には下吹き出し口１０が設けられている。また、１４は風回路切り換え手段であり、この風回路切り換え手段１４は前記送風機６のケーシング１５を前記送風機６の回転軸１６を中心に回転させ、上吹き出しと下吹き出しの送風回路を切り換えるものである。さらに、前記送風機６の上部で、かつ、前記熱交換器５よりも背面側に設けられたバイパス風回路１７は上吹き出し時に前記熱交換器５を通過しない送風路である。また、前記室内機７の上部には前記熱交換器５を通過した空気を吹き出す温側吹き出し口１８と前記熱交換器５を通過しない空気を吹き出す冷側吹き出し口１９とが設けられている。また、風向変更手段２０は前記温側吹き出し口１８と冷側吹き出し口１９とにそれぞれ設けられた温側風向変更羽根２１と冷側風向変更羽根２２の駆動を行うものである。
【００３２】
次に動作、作用について説明する。室内の温度が低く暖房負荷が大きいときには、図２に示すように、下吹き出し状態で暖房を行う。すなわち、風回路切り換え手段１４はケーシング１５を送風機６の回転軸１６を中心に下向きに回転させ、さらに、風向変更手段２０は温側風向変更羽根２１で温側吹き出し口１８を閉じ、冷側風向変更羽根２２で冷側吹き出し口１９を閉じることによって下吹き出し状態を設定する。そして、室外機４のボイラ２が動作してポンプによって室内機７に送られてきた温水と、送風機６によって下吹き用吸い込み口９Ａから吸い込まれた空気とが、熱交換器５で熱交換して、吸い込まれた空気は加熱されて温風となって下吹き出し口１０から吹き出される。
【００３３】
次に、室内の温度が上昇し、暖房負荷が小さいときには、図１に示すように、上吹き出し状態で暖房を行う。すなわち、風回路切り換え手段１４はケーシング１５を送風機６の回転軸１６を中心に上向きに回転させ、さらに、風向変更手段２０は温側風向変更羽根２１と冷側風向変更羽根２２とを動作させ、それぞれ温側吹き出し口１８と冷側吹き出し口１９と開口することによって上吹き出し状態を設定する。そして、送風機６によって上吹き用吸い込み口９Ｂから吸い込まれた空気の一部は、下吹き出し状態の場合と同様、熱交換器５で加熱され温側吹き出し口１８と下吹き用吸い込み口９Ａとから吹き出される。また、送風機６によって上吹き用吸い込み口９Ｂから吸い込まれた上記以外の空気は、熱交換器５を通過ぜずに、バイパス風回路１７を通って、冷側吹き出し口１９から吹き出される。
【００３４】
図３は、横軸に上吹き状態で吹き出される空気の風量をとり、縦軸に部屋の上下の温度差（例えば、床上１８００ｍｍでの水平面の平均温度と床上５０ｍｍでの水平面の平均温度との差）をとって、暖房負荷Ｑに見合う暖房能力Ｑで部屋を暖房した場合の風量と部屋の上下の温度差の関係を示したものである。また、図４は、横軸に熱交換器５を通過する風量をとり、縦軸に熱交換器５の暖房能力をとって、熱交換器５の通過風量と暖房能力の関係を示したものである。今、図３において、部屋の上下温度差をＴにするためには風量がＶ必要である。仮に、この風量Ｖをすべて熱交換器５に通せば、その時の暖房能力は、図４からわかるように、Ｑａとなる。しかし、この暖房能力Ｑａは、室内の温度が上昇し暖房負荷が小さいときには、暖房負荷に見合った暖房能力Ｑよりもかなり大きくなり、部屋の温度が希望する温度よりも高くなってしまう。そこで、送風機６によって上吹き用吸い込み口９Ｂから吸い込まれた風量Ｖのうちで暖房能力Ｑに必要な風量Ｖｅｘは、熱交換器５を通過し温側吹き出し口１８から吹き出す。また、送風機６によって上吹き用吸い込み口９Ｂから吸い込まれた残りの風量（Ｖ−Ｖｅｘ）は、熱交換器５を通過ぜずに、バイパス風回路１７を通って冷側吹き出し口１９から吹き出される。
【００３５】
図５は図３２のＡ面における下吹き出し状態と上吹き出し状態での温風の循環経路を示したものである。同図において、７は室内機、２３は床さらに２４は壁である。実線は上吹き出し状態、点線は下吹き出し状態の循環経路である。同図からわかるように、上吹き出し状態では、上に吹き出した空気の多くが天井面や壁面に沿って流れ、最終的に、床面近傍に設けた上吹き用吸い込み口９Ｂより吸い込まれるので、温風は部屋全体に広がることがわかる。
【００３６】
図６は図３２のＢ、Ｃ面各面それぞれにおいて、各高さおける水平方向の温度の平均を求めて、その分布を示したものである。なお、一点鎖線は部屋全体の平均温度であり、細い実線は図３４で示す従来例の場合であり、太い実線は本発明の場合である。図６からわかるように従来例と比較して、上下の温度差が少なく、また、部屋全体も均一である。特に、室内機７と対向する壁付近の床温度は従来例と比べて高くなっていることがわかる。
【００３７】
（実施例２）
図７（ａ）は本発明の実施例２の温風暖房機の下吹き出し状態を示す構成図、図７（ｂ）は同温風暖房機の上吹き出し状態を示す構成図である。
【００３８】
本実施例２において、実施例１と異なる点は、上吹き出し時に、遮蔽板駆動手段２５によって下吹き用吸い込み口９Ａを遮蔽する遮蔽板２６を設けた構成としたことである。なお、実施例１と同一符号のものは同一構造を有し、説明は省略する。
【００３９】
次に動作、作用を説明する。室内の温度が低く暖房負荷が大きいときに行う下吹き出し暖房の場合には、図７（ａ）に示すように、遮蔽板駆動手段２５は下吹き用吸い込み口９Ａを開くために遮蔽板２６を下方に移動させる。その他の動作、作用は実施例１と同様なので説明は省略する。
【００４０】
次に、室内の温度が上昇し暖房負荷が小さいときに行う上吹き出し暖房の場合には、風回路切り換え手段１４はケーシング１５を送風機６の回転軸１６を中心に上向きに回転させ、また、風向変更手段２０は温側風向変更羽根２１と冷側風向変更羽根２２とを動作させ、それぞれ温側吹き出し口１８と冷側吹き出し口１９と開口する。さらに、遮蔽板駆動手段２５は下吹き用吸い込み口９Ａを閉じるために遮蔽板２６を上方に移動させることによって上吹き出し状態を設定する。
【００４１】
そして、送風機６によって上吹き用吸い込み口９Ｂから吸い込まれた空気の一部は、熱交換器５で加熱され温側吹き出し口１８から吹き出される。この時、実施例１とは異なり、下吹き用吸い込み口９Ａからは吹き出されない。また、送風機６によって上吹き用吸い込み口９Ｂから吸い込まれた上記以外の空気は、熱交換器５を通過ぜずに、バイパス風回路１７を通って、冷側吹き出し口１９から吹き出される。
【００４２】
上吹き出し暖房の場合に、熱交換器５で加熱された空気はすべて温側吹き出し口１８から吹き出されるため、吹き出し速度が大きくなり、より遠くまで循環するので、部屋の上下温度差が小さく、温風が部屋全体に広がる。
【００４３】
（実施例３）
図８（ａ）は本発明の実施例３の温風暖房機の温風単独吹き出し運転の状態を示す構成図、図８（ｂ）は同温風暖房機の温冷風同時吹き出し運転の状態を示す構成図、図９は同温風暖房機の風量に対する暖房能力と騒音値を示す説明図である。
【００４４】
本実施例３において、実施例１と異なる点は、上吹き出し暖房時に、暖房負荷に応じて、温側風向変更羽根２１と冷側風向変更羽根２２を駆動する風向変更手段２０を制御する風向変更羽根制御手段２７を設けた構成としたことである。なお、実施例１と同一符号のものは同一構造を有し、説明は省略する。
【００４５】
次に動作、作用を説明する。室内の温度が低く暖房負荷が大きいときには、実施例１の動作、作用と同様なので説明は省略する。
【００４６】
次に、室内の温度が上昇し、暖房負荷が少なくなった時には、実施例１と同様、上吹き出し状態で暖房を行う。上吹き出し暖房の初期で比較的暖房負荷が大きい場合には温風単独吹き出し運転と温冷風同時吹き出し運転を交互に行う。すなわち、風回路切り換え手段１４はケーシング１５を送風機６の回転軸１６を中心に上向きに回転させ上吹き出し状態を設定する。
【００４７】
温風単独吹き出し運転の場合には、風向変更羽根制御手段２７は風向変更手段２０を制御して、温側風向変更羽根２１で温側吹き出し口１８を開き、冷側風向変更羽根２２で冷側吹き出し口１９を閉じる。そして、送風機６によって上吹き用吸い込み口９Ｂから吸い込まれた空気の一部は、熱交換器５で加熱され温側吹き出し口１８と下吹き用吸い込み口９Ａとから吹き出される。
【００４８】
また、温冷風同時吹き出し運転の場合には、風向変更羽根制御手段２７は風向変更手段２０を制御して、温側風向変更羽根２１で温側吹き出し口１８を開き、冷側風向変更羽根２２で冷側吹き出し口１９を開く。そして、送風機６によって上吹き用吸い込み口９Ｂから吸い込まれた空気の一部は、熱交換器５で加熱され温側吹き出し口１８と下吹き用吸い込み口９Ａとから吹き出され、さらに、送風機６によって上吹き用吸い込み口９Ｂから吸い込まれた上記以外の空気は、熱交換器５を通過ぜずに、バイパス風回路１７を通って、冷側吹き出し口１９から吹き出される。
【００４９】
図９は、横軸に吹き出される空気の風量をとり、縦軸に暖房能力と騒音値とをとって、風量に対する暖房能力と騒音値との関係を示したものである。同図において、実線は温風単独吹き出し運転の場合を示し、点線は温冷風同時吹き出し運転の場合を示す。今、実施例１と同じ温冷風同時吹き出し運転の場合で、上吹き出し暖房の初期で比較的暖房負荷Ｑが大きい時には、同図に示す暖房能力Ｑが必要である。この時の風量はＶａで騒音値はＮａとなる。温冷風同時吹き出し運転は風量に対する能力が比較的小さいため、Ｖａ、Ｎａともに比較的大きな値となる。
【００５０】
これに対して、温風単独吹き出し運転時に、暖房能力Ｑよりも大きいＱｂ、騒音値Ｎａよりも小さいＮｂとなる風量Ｖｂを設定し、さらに、温冷風同時吹き出し運転時に、暖房能力Ｑよりも小さいＱｃ、騒音値Ｎａよりも小さいＮｃとなる風量Ｖｃを設定する。そして、温風単独吹き出し運転と温冷風同時吹き出し運転の時間比率を概ね（Ｑ−Ｑｃ）：（Ｑｂ−Ｑ）とすれば、暖房能力Ｑと同じになる。
【００５１】
このように、適当な風量設定を行い、温風単独吹き出し運転と温冷風同時吹き出し運転とを交互に行えば、運転騒音値を低くすることができる。
【００５２】
（実施例４）
図１０は本発明の実施例４の温風暖房機を示す構成図、図１１は同温風暖房機の温風単独吹き出し運転の時間に対する上下温度差の関係を示すの説明図、図１２は同温風暖房機の温風単独吹き出し運転の時間比率に対する温風単独吹き出し運転の時間を示す説明図である。
【００５３】
本実施例４において、実施例３と異なる点は、上吹き出し暖房時に暖房負荷に応じて、温風単独吹き出し運転の時間比率に対する温風単独吹き出し運転の時間の関係を記憶している周期記憶部２８からの信号によって、温側風向変更羽根２１と冷側風向変更羽根２２を駆動する風向変更手段２０を制御する風向変更羽根制御手段２７を設けた構成としたことである。なお、実施例３と同一符号のものは同一構造を有し、説明は省略する。
【００５４】
次に動作、作用を説明する。室内の温度が低く暖房負荷が大きいときには、実施例１および実施例３の動作、作用と同様なので説明は省略する。
【００５５】
次に、室内の温度が上昇し、暖房負荷が少なくなった時には上吹き出し状態で暖房を行う。上吹き出し暖房の初期で比較的暖房負荷が大きい場合には、温風単独吹き出し運転の時間比率と温風単独吹き出し運転の時間との関係を記憶している周期記憶部２８からの信号によって、風向変更羽根制御手段２７は、温風単独吹き出し運転と温冷風同時吹き出し運転を交互に行う。そして、風回路切り換え手段１４はケーシング１５を送風機６の回転軸１６を中心に上向きに回転させ上吹き出し状態を設定する。
【００５６】
温風単独吹き出し運転の場合には、風向変更羽根制御手段２７は風向変更手段２０を制御して、温側風向変更羽根２１で温側吹き出し口１８を開き、冷側風向変更羽根２２で冷側吹き出し口１９を閉じる。そして、送風機６によって上吹き用吸い込み口９Ｂから吸い込まれた空気の一部は、熱交換器５で加熱され温側吹き出し口１８と下吹き用吸い込み口９Ａとから吹き出される。
【００５７】
また、温冷風同時吹き出し運転の場合には、風向変更羽根制御手段２７は風向変更手段２０を制御して、温側風向変更羽根２１で温側吹き出し口１８を開き、冷側風向変更羽根２２で冷側吹き出し口１９を開く。そして、送風機６によって上吹き用吸い込み口９Ｂから吸い込まれた空気の一部は、熱交換器５で加熱され温側吹き出し口１８と下吹き用吸い込み口９Ａとから吹き出され、さらに、送風機６によって上吹き用吸い込み口９Ｂから吸い込まれた上記以外の空気は、熱交換器５を通過ぜずに、バイパス風回路１７を通って、冷側吹き出し口１９から吹き出される。
【００５８】
図１１は、横軸に温風単独吹き出し運転の時間をとり、縦軸に部屋の上下温度差をとって、温風単独吹き出し運転の時間に対する上下温度差の関係を示したものである。同図において、１：３等のパラメータは、温風単独吹き出し運転の時間と温冷風同時吹き出し運転の時間の比率を示す。また、実線は部屋の変動温度の最大値を示し、点線は部屋の変動温度の最小値を示す。同図からわかるように、同じ運転比率であっても周期が大きければ上下温度の変動が大きく、周期が小さければ上下温度差の変動は少ないが上下温度差が大きくなる。さらに、同図に示す点ａ、ｂ、ｃで上下の温度差が極小になることがわかる。
【００５９】
図１２は横軸に温風単独吹き出し運転の時間比率をとり、縦軸に温風単独吹き出し運転の時間をとって、温風単独吹き出し運転の時間比率に対する温風単独吹き出し運転の時間の関係を示したものである。この関係は図１１の点ａ、ｂ、ｃで示される上下温度差が極小になる場合である。この図１２で示す温風単独吹き出し運転の時間比率に対する温風単独吹き出し運転の時間の関係を周期記憶部２８に記憶させ、これからの信号をもとに、風向変更羽根制御手段２７で制御することによって、温風単独吹き出し運転と温冷風同時吹き出し運転とを交互に行えば、部屋の上下温度差を低くすることができる。
【００６０】
（実施例５）
図１３（ａ）は本発明の実施例５の温風暖房機の温風単独吹き出し運転の状態を示す構成図、図１３（ｂ）は同温風暖房機の温冷風同時吹き出し運転の状態を示す構成図、図１４は同温風暖房機の風量に対する暖房能力と騒音値を示す説明図、図１５は同温風暖房機の必要能力に対する温風単独吹き出し運転と温冷風同時吹き出し運転の運転比率を示す説明図、図１６は同温風暖房機の必要風量に対する温風単独吹き出し運転と温冷風同時吹き出し運転の送風機回転数を示す説明図である。
【００６１】
本実施例５において、実施例３と異なる点は、上吹き出し暖房時に、暖房負荷に応じて、必要能力に対する温風単独吹き出し運転と温冷風同時吹き出し運転の運転比率の関係と必要風量に対する温風単独吹き出し運転と温冷風同時吹き出し運転の送風機回転数の関係とを記憶している記憶部２９からの信号によって    温側風向変更羽根２１と冷側風向変更羽根２２を駆動する風向変更手段２０を制御する風向変更羽根制御手段２７を設け、さらに、送風機６を制御する送風機制御手段３０を設けた構成としたことである。なお、実施例３と同一符号のものは同一構造を有し、説明は省略する。
【００６２】
次に動作、作用を説明する。
室内の温度が低く暖房負荷が大きいときには、実施例１および実施例３の動作、作用と同様なので説明は省略する。
【００６３】
次に、室内の温度が上昇し、暖房負荷が少なくなった時には上吹き出し状態で暖房を行う。上吹き出し暖房の初期で比較的暖房負荷が大きい場合には、必要能力に対する温風単独吹き出し運転と温冷風同時吹き出し運転の運転比率の関係と必要風量に対する温風単独吹き出し運転と温冷風同時吹き出し運転の送風機回転数の関係とを記憶している記憶部２９からの信号によって、風向変更羽根制御手段２７は温風単独吹き出し運転と温冷風同時吹き出し運転を交互に行い、送風機制御手段３０は送風機６の運転制御を行う。そして、風回路切り換え手段１４はケーシング１５を送風機６の回転軸１６を中心に上向きに回転させ上吹き出し状態を設定する。その他の動作については、実施例３と同様なので省略する。
【００６４】
図１４は、横軸に吹き出される空気の風量をとり、縦軸に暖房能力と騒音値とをとって、風量に対する暖房能力と騒音値との関係を示したものである。同図において、実線は温風単独吹き出し運転の場合を示し、点線は温冷風同時吹き出し運転の場合を示す。実施例３で説明したように、上吹き出し暖房の初期で比較的暖房負荷Ｑが大きい時には、同図に示す暖房能力Ｑが必要である。この時の風量はＶａで騒音値はＮａとなる。温冷風同時吹き出し運転は風量に対する能力が比較的小さいため、Ｖａ、Ｎａともに比較的大きな値となる。
【００６５】
これに対して、図１４に示すように、騒音値が、Ｎａよりも小さく、また、温風単独吹き出し運転と温冷風同時吹き出し運転時とで等しいＮｂで、かつ、その時の暖房能力が温風単独吹き出し運転の場合はＱよりも大きいＱｂ、温冷風同時吹き出し運転の場合はＱよりも小さいＱｃとなる風量Ｖｂ、Ｖｃを設定をする。
【００６６】
そして、温風単独吹き出し運転と温冷風同時吹き出し運転の時間比率を概ね
（Ｑ−Ｑｃ）：（Ｑｂ−Ｑ）……（１）
とすれば、暖房能力Ｑと同じになる。
【００６７】
図１５は必要暖房能力に対して式（１）から求めた温風単独吹き出し運転と温冷風同時吹き出し運転の運転比率である。同図において、実線は温風単独吹き出し運転の運転比率、点線は温冷風同時吹き出し運転の運転比率を示す。
【００６８】
また、図１６は温風単独吹き出し運転と温冷風同時吹き出し運転のそれぞれの場合の必要風量に対する送風機６の回転数を示す。なお、同図中、実線は温風単独吹き出し運転の場合の送風機回転数、点線は温冷風同時吹き出し運転の場合の送風機回転数を示す。そして、図１５に示す必要能力に対する温風単独吹き出し運転と温冷風同時吹き出し運転の運転比率の関係と、図１６に示す必要風量に対する温風単独吹き出し運転と温冷風同時吹き出し運転の送風機回転数の関係を記憶部２９に記憶させ、これからの信号をもとに、風向変更羽根制御手段２７で温側風向変更羽根２１と冷側風向変更羽根２２を駆動する風向変更手段２０制御し、かつ、送風機制御手段３０で送風機６を制御することによって、温風単独吹き出し運転と温冷風同時吹き出し運転とを交互に行えば、運転騒音値の変動も少なく、しかも、運転騒音値を低くすることができる。
【００６９】
（実施例６）
図１７（ａ）は本発明の実施例６の温風暖房機の冷風単独吹き出し運転の状態を示す構成図、図１７（ｂ）は同温風暖房機の温冷風同時吹き出し運転の状態を示す構成図、図１８は同温風暖房機の風量に対する暖房能力を示す説明図である。
【００７０】
本実施例６において、実施例２と異なる点は、上吹き出し暖房時に、暖房負荷に応じて、温側風向変更羽根２１と冷側風向変更羽根２２を駆動する風向変更手段２０を制御する風向変更羽根制御手段２７を設けた構成としたことである。なお、実施例２と同一符号のものは同一構造を有し、説明は省略する。
【００７１】
次に動作、作用を説明する。室内の温度が上昇し、暖房負荷が少なくなった時には、実施例２と同様、上吹き出し状態で暖房を行う。そして、この上吹き出し暖房で温度が上昇し、さらに、暖房負荷が小さくなった場合には冷風単独吹き出し運転と温冷風同時吹き出し運転を交互に行う。すなわち、風回路切り換え手段１４はケーシング１５を送風機６の回転軸１６を中心に上向きに回転させ上吹き出し状態を設定する。
【００７２】
冷風単独吹き出し運転の場合には、風向変更羽根制御手段２７は風向変更手段２０を制御して、温側風向変更羽根２１で温側吹き出し口１８を閉じ、冷側風向変更羽根２２で冷側吹き出し口１９を開く。そして、送風機６によって上吹き用吸い込み口９Ｂから吸い込まれた空気の一部は、熱交換器５で加熱され冷側吹き出し口１９から吹き出される。
【００７３】
また、温冷風同時吹き出し運転の場合には、風向変更羽根制御手段２７は風向変更手段２０を制御して、温側風向変更羽根２１で温側吹き出し口１８を開き、冷側風向変更羽根２２で冷側吹き出し口１９を開く。そして、送風機６によって上吹き用吸い込み口９Ｂから吸い込まれた空気の一部は、熱交換器５で加熱され温側吹き出し口１８から吹き出され、さらに、送風機６によって上吹き用吸い込み口９Ｂから吸い込まれた上記以外の空気は、熱交換器５を通過ぜずに、バイパス風回路１７を通って、冷側吹き出し口１９から吹き出される。
【００７４】
図１８は、横軸に吹き出される空気の風量をとり、縦軸に暖房能力をとって、風量に対する暖房能力の関係を示したものである。同図において、一点鎖線は冷風単独吹き出し運転の場合を示し、点線は温冷風同時吹き出し運転の場合を示す。
【００７５】
今、実施例２と同じ温冷風同時吹き出し運転の場合で、室温が高く暖房負荷Ｑが小さい時に、同図に示す暖房能力Ｑが必要であるとする。この時の風量はＶａとなる。温冷風同時吹き出し運転は負荷が小さい場合、風量に対する能力が比較的大きいため、Ｖａは比較的小さい値となる。また、図３で説明したように、風量が少ないと部屋の上下温度差が大きくなる。
【００７６】
これに対して、温冷風同時吹き出し運転時に、暖房能力Ｑよりも大きいＱｂとなる風量Ｖｂ（当然Ｖｂ＞  Ｖａ）を設定し、さらに、冷風単独吹き出し運転時に、暖房能力Ｑよりも小さいＱｃで風量Ｖａよりも大きい風量Ｖｃを設定する。
【００７７】
そして、冷風単独吹き出し運転と温冷風同時吹き出し運転の時間比率を概ね（Ｑｂ−Ｑ）：（Ｑ−Ｑｃ）とすれば、暖房能力はＱと同じになる。
【００７８】
このように、適当な風量設定（大きな風量を設定）を行い、温風単独吹き出し運転と温冷風同時吹き出し運転とを交互に行えば、部屋の上下の温度差を小さくすることができる。
【００７９】
（実施例７）
図１９は本発明の実施例７の温風暖房機を示す構成図、図２０は同温風暖房機の冷風単独吹き出し運転の時間に対する上下温度差の関係を示す説明図、図２１は同温風暖房機の冷風単独吹き出し運転の時間比率に対する冷風単独吹き出し運転の時間を示す説明図である。
【００８０】
本実施例７において、実施例６と異なる点は、上吹き出し暖房時に暖房負荷に応じて、冷風単独吹き出し運転の時間比率に対する冷風単独吹き出し運転の時間の関係を記憶している周期記憶部２８からの信号によって、温側風向変更羽根２１と冷側風向変更羽根２２を駆動する風向変更手段２０を制御する風向変更羽根制御手段２７を設けた構成としたことである。なお、実施例６と同一符号のものは同一構造を有し、説明は省略する。
【００８１】
次に動作、作用を説明する。室内の温度が上昇し、暖房負荷が少なくなった時には上吹き出し状態で暖房を行う。そして、この上吹き出し暖房で温度が上昇し、さらに、暖房負荷が小さくなった場合には、実施例６と同様、冷風単独吹き出し運転と温冷風同時吹き出し運転を交互に行う。すなわち、風回路切り換え手段１４はケーシング１５を送風機６の回転軸１６を中心に上向きに回転させ上吹き出し状態を設定する。
【００８２】
図２０は、横軸に冷風単独吹き出し運転の時間をとり、縦軸に部屋の上下温度差をとって、冷風単独吹き出し運転の時間に対する上下温度差の関係を示したものである。同図において、１：３等のパラメータは、冷風単独吹き出し運転の時間と温冷風同時吹き出し運転の時間の比率を示す。また、実線は部屋の変動温度の最大値を示し、点線は部屋の変動温度の最小値を示す。同図からわかるように、同じ運転比率であっても周期が大きければ上下温度の変動が大きく、周期が小さければ上下温度差の変動は少ないが上下温度差が大きくなる。さらに、同図に示す点ａ、ｂ、ｃで上下の温度差が極小になることがわかる。
【００８３】
図２１は横軸に冷風単独吹き出し運転の時間比率をとり、縦軸に温風単独吹き出し運転の時間をとって、冷風単独吹き出し運転の時間比率に対する温風単独吹き出し運転の時間の関係を示したものである。この関係は図２０の点ａ、ｂ、ｃで示される上下温度差が極小になる場合である。この図２１で示す冷風単独吹き出し運転の時間比率に対する冷風単独吹き出し運転の時間の関係を周期記憶部２８に記憶させ、これからの信号をもとに、風向変更羽根制御手段２７で制御することによって、冷風単独吹き出し運転と温冷風同時吹き出し運転とを交互に行えば、部屋の上下温度差を低くすることができる。
【００８４】
（実施例８）
図２２（ａ）は本発明の実施例８の温風暖房機の冷風単独吹き出し運転の状態を示す構成図、図２２（ｂ）は同温風暖房機の温冷風同時吹き出し運転の状態を示す構成図、図２３は同温風暖房機の風量に対する暖房能力と騒音値を示す説明図、図２４は同温風暖房機の必要能力に対する冷風単独吹き出し運転と温冷風同時吹き出し運転の運転比率を示す説明図、図２５は同温風暖房機の必要風量に対する温風単独吹き出し運転と温冷風同時吹き出し運転の送風機回転数を示す説明図である。
【００８５】
本実施例８において、実施例６と異なる点は、上吹き出し暖房時に、暖房負荷に応じて、必要能力に対する冷風単独吹き出し運転と温冷風同時吹き出し運転の運転比率の関係と必要風量に対する冷風単独吹き出し運転と温冷風同時吹き出し運転の送風機回転数の関係とを記憶している記憶部２９からの信号によって温側風向変更羽根２１と冷側風向変更羽根２２を駆動する風向変更手段２０を制御する風向変更羽根制御手段２７を設け、さらに、送風機６を制御する送風機制御手段３０を設けた構成としたことである。なお、実施例６と同一符号のものは同一構造を有し、説明は省略する。
【００８６】
次に動作、作用を説明する。室内の温度が上昇し、暖房負荷が少なくなった時には上吹き出し状態で暖房を行う。そして、この上吹き出し暖房で温度が上昇し、さらに、暖房負荷が小さくなった場合には、実施例６と同様、冷風単独吹き出し運転と温冷風同時吹き出し運転を交互に行う。すなわち、風回路切り換え手段１４はケーシング１５を送風機６の回転軸１６を中心に上向きに回転させ上吹き出し状態を設定する。
【００８７】
図２３は、横軸に吹き出される空気の風量をとり、縦軸に暖房能力と騒音値とをとって、風量に対する暖房能力と騒音値との関係を示したものである。同図において、一点鎖線は冷風単独吹き出し運転の場合を示し、点線は温冷風同時吹き出し運転の場合を示す。今、実施例２と同じ温冷風同時吹き出し運転の場合で、室温が高く暖房負荷Ｑが小さい時に、同図に示す暖房能力Ｑが必要であるとする。
【００８８】
この時の風量はＶａとなる。温冷風同時吹き出し運転は負荷が小さい場合、風量に対する能力が比較的大きいため、Ｖａは比較的小さい値となる。また、図３で説明したように、風量が少ないと部屋の上下温度差が大きくなる。
【００８９】
これに対して、図２３に示すように、風量がＶａよりも大きい領域で、冷風単独吹き出し運転と温冷風同時吹き出し運転時とで等しいＮｂで、かつ、その時の暖房能力が冷風単独吹き出し運転の場合はＱよりも小さいＱｂ、温冷風同時吹き出し運転の場合はＱよりも大きいＱｃとなる風量Ｖｂ、Ｖｃを設定をする。そして、冷風単独吹き出し運転と温冷風同時吹き出し運転の時間比率を概ね
（Ｑｃ−Ｑ）：（Ｑ−Ｑｂ）………（２）
とすれば、暖房能力はＱと同じになる。
【００９０】
図２４は必要暖房能力に対して式（２）から求めた冷風単独吹き出し運転と温冷風同時吹き出し運転の運転比率である。同図において、一点鎖線は冷風単独吹き出し運転の運転比率、点線は温冷風同時吹き出し運転の運転比率を示す。
【００９１】
また、図２５は冷風単独吹き出し運転と温冷風同時吹き出し運転のそれぞれの場合の必要風量に対する送風機６の回転数を示す。なお、同図中、一点鎖線は冷風単独吹き出し運転の場合の送風機回転数、点線は温冷風同時吹き出し運転の場合の送風機回転数を示す。そして、図２４に示す必要能力に対する冷風単独吹き出し運転と温冷風同時吹き出し運転の運転比率の関係と、図２５に示す必要風量に対する冷風単独吹き出し運転と温冷風同時吹き出し運転の送風機回転数の関係を記憶部２９に記憶させ、これからの信号をもとに、風向変更羽根制御手段２７で温側風向変更羽根２１と冷側風向変更羽根２２を駆動する風向変更手段２０を制御し、かつ、送風機制御手段３０で送風機６を制御することによって、冷風単独吹き出し運転と温冷風同時吹き出し運転とを交互に行えば、運転騒音値の変動が少なく、また、部屋の上下の温度差も小さくすることができる。
【００９２】
（実施例９）
図２６（ａ）は本発明の実施例９の温風暖房機の上吹き出し状態を示す室内機の構成図、図２６（ｂ）は同温風暖房機の上吹き出し口の拡大説明図、図２７は同温風暖房機の冷側風向変更羽根の回転角度に対する風量の変化を示す説明図である。
【００９３】
本実施例９において、実施例１または実施例２と異なる点は、上吹き出し時に暖房負荷に応じて冷側吹き出し口１９に設けた冷側風向変更羽根２２を羽根回転軸３１を中心に回転させる風向変更手段２０を制御する風向変更羽根制御手段２７を設けた構成としたことである。なお、実施例１または実施例２と同一符号のものは同一構造を有し、説明は省略する。
【００９４】
次に動作、作用を説明する。室内の温度が低く暖房負荷が大きいときに行う下吹き出し暖房の場合には、実施例１または実施例２と同様であるので説明は省略する。
【００９５】
次に、室内の温度が上昇し暖房負荷が小さいときに行う上吹き出し暖房の場合には、風回路切り換え手段１４はケーシング１５を送風機６の回転軸１６を中心に上向きに回転させ、また、風向変更手段２０は温側風向変更羽根２１と冷側風向変更羽根２２とを動作させ、それぞれ温側吹き出し口１８と冷側吹き出し口１９と開口する。さらに、実施例６の場合は、遮蔽板駆動手段２５は下吹き用吸い込み口９Ａを閉じるために遮蔽板２６を上方に移動させることによって上吹き出し状態を設定する
そして、その時の暖房負荷に応じて、風向変更羽根制御手段２７は風向変更手段２０で冷側風向変更羽根２２を羽根回転軸３１を中心に必要な角度だけ回転させる。
【００９６】
図２７において、横軸に風向変更羽根２２の羽根回転軸３１を中心とした回転角度をとり、縦軸に温側吹き出し口１８と冷側吹き出し口１９とから吹き出される風量をとって、冷側風向変更羽根２２の回転角度に対する風量の変化を示す。
【００９７】
なお、回転角度θは、冷側吹き出し口１９を閉じた状態から開く方向にとったものである。同図からわかるように、冷側吹き出し口１９を閉じた状態から開いていくと、冷側吹き出し口１９から吹き出す風量は大きくなり、温側吹き出し口１８から吹き出す風量は小さくなる。また、この２つの合計した風量はほぼ一定にすることができる。また、熱交換器５を通過する風量と熱交換器５の暖房能力との関係は、図４に示すようになる。だから、暖房負荷に見合った暖房能力Ｑを出そうとすれば、図２７において、風量Ｖｅｘとなる回転角度θｅｘとなるように設定すればよい。
【００９８】
能力制御をするために、従来送風機６の回転数を変化させていたので、室温の変動に応じて送風機の回転数が変化し、それに伴って騒音値も変化するため、耳障りで不快であった。これに対して、本実施例９の場合は冷側風向変更羽根２２の回転角度で能力制御ができるので、騒音の変動が少ない。
【００９９】
（実施例１０）
図２８は本発明の実施例１０の温風暖房機の室内機の構成図、図２９は同温風暖房機の気流説明図である。
【０１００】
本実施例１０において、実施例１または実施例２と異なる点は、希望の室温を設定する室温設定手段３２と室温検出手段１１から得られた室温とを比較する室温設定比較手段３３からの信号で、温側風向変更羽根２１と冷側風向変更羽根２２とを駆動する風向変更手段２０を制御する風向変更羽根制御手段２７を設けた構成としたことである。なお、実施例１または実施例２と同一符号のものは同一構造を有し、説明は省略する。
【０１０１】
次に動作、作用を説明する。室内の温度が低く暖房負荷が大きいときに行う下吹き出し暖房の場合には、実施例１または実施例２と同様であるので説明は省略する。
【０１０２】
次に、室内の温度が上昇し暖房負荷が小さいときに行う上吹き出し暖房の場合には、風回路切り換え手段１４はケーシング１５を送風機６の回転軸１６を中心に上向きに回転させ、また、風向変更手段２０は温側風向変更羽根２１と冷側風向変更羽根２２とを動作させ、それぞれ温側吹き出し口１８と冷側吹き出し口１９と開口する。さらに、実施例２の場合は、遮蔽板駆動手段２５は下吹き用吸い込み口９Ａを閉じるために遮蔽板２６を上方に移動させることによって上吹き出し状態を設定する
そして、この上吹き出し暖房で暖房していて、さらに室温が上昇し、室温設定比較手段３３が室温検出手段１１から得られた室温と室温設定手段３２で設定された温度とを比較し、室温検出手段１１から得られた室温が室温設定手段３２で設定された温度以上になれば、風向変更羽根制御手段２７は風向変更手段２０で温側風向変更羽根２１を駆動して、温側吹き出し口１８を閉じる。その結果、送風機６によって上吹き用吸い込み口９Ｂから吸い込まれた空気は、熱交換器５を通過ぜずに、バイパス風回路１７を通って、冷側吹き出し口１９から吹き出される。
【０１０３】
図２９は図３２のＡ面における上吹き出し状態での温風の循環経路を示したものであり、同図において、実線はバイパス風回路１７を通って冷側吹き出し口１９から吹き出された空気の循環経路である。また、部屋の上層部（天井付近）には暖かい空気が滞留している。冷側吹き出し口１９から吹き出された空気は天井付近に到達し、さらに、天井付近で滞留している暖かい空気を床面まで押し下げ、最終的には、上吹き用吸い込み口９Ｂから室内機７に吸い込まれることによって循環する。
【０１０４】
このように、冷側吹き出し口１９から吹き出した空気の多くが天井面や壁面に沿って流れ、最終的に、床面近傍に設けた上吹き用吸い込み口９Ｂより吸い込まれるので、暖房を停止する場合にも、温風が床面に到達することがわかる。
【０１０５】
【発明の効果】
以上説明したように本発明の請求項１に係る温風暖房機は、送風機と、前記送風機のケーシングおよび前記送風機の上部に備えた熱交換器などを有した温風暖房機において、下吹き暖房時に室内空気を吸い込むための下吹き用吸い込み口と上吹き暖房時に室内空気を吸い込むために床面近傍に設けた上吹き用吸い込み口とを切り換える風回路切り換え手段と、上吹き暖房時に前記熱交換器をバイパスし、かつ、前記熱交換器よりも背面側に位置するバイパス風回路と、上吹き暖房時に前記熱交換器を通過した空気を吹き出す温側吹き出し口と、上吹き暖房時に前記熱交換器をバイパスした空気を吹き出す冷側吹き出し口と、前記温側吹き出し口に設けた温側風向変更羽根と、前記冷側吹き出し口に設けた冷側風向変更羽根と、前記温側風向変更羽根と前記冷側風向変更羽根との開閉を切り替える風向変更手段とを設けているので、上吹き出し口から吹き出した温風が、天井面に達して全体に広がり、さらに、壁面に沿って降下し床面に達した後、床面に沿って流れ、床面近傍に設けた上吹き用吸い込み口から吸い込まれるため、部屋の上下温度差が小さく、気流感、冷風感もなく、快適な居住空間を得ることができるという効果がある。
【０１０６】
また、請求項２に係る温風暖房機は、上吹き暖房時に下吹き用吸い込み口を遮蔽する遮蔽板設けているので、温側吹き出し口から吹き出された比較的高い温度の温風の吹き出し速度を大きくできるため、より遠くまで循環し、部屋の上下温度差が小さく、快適な居住空間を得ることができるという効果がある。
【０１０７】
また、請求項３に係る温風暖房機は、上吹き暖房運転の暖房負荷が大きい時には、温側吹き出し口を開き、かつ、冷側吹き出し口を閉じた温風単独吹き出し運転と、温側吹き出し口を開き、かつ、冷側吹き出し口を開いた温冷風同時吹き出し運転とを交互に設定するように温側風向変更羽根と冷側風向変更羽根を駆動する風向変更手段を制御する風向変更羽根制御手段を有しているので、高能力の温風単独吹き出し運転で吹き出された高温の空気を中能力の温冷風同時吹き出し運転で吹き出された比較的低温の空気で押し下げて部屋全体を循環させるため部屋の上下温度差が小さく、かつ、高能力の温風単独吹き出し運転を行うため、風量が少なく騒音値も低いので低騒音の快適な居住空間を得ることができるという効果がある。
【０１０８】
また、請求項４に係る温風暖房機は、上下温度差が極小になるように、温風単独吹き出し運転と温冷風同時吹き出し運転との周期を決定し制御する風向変更羽根制御手段を有しているので、部屋の上下温度差の変動が小さくなるように温風単独吹き出し運転と温冷風同時吹き出し運転との周期を制御するため、部屋の上下温度差が小さく、かつ、低騒音の快適な居住空間を得ることができるという効果がある。
【０１０９】
また、請求項５に係る温風暖房機は、温風単独吹き出し運転の運転騒音と温冷風同時吹き出し運転との運転騒音が等しくなるように、送風機を制御する送風機制御手段を設けているので、運転騒音の変動の少ない低騒音の快適な居住空間を得ることができるという効果がある。
【０１１０】
また、請求項６に係る温風暖房機は、上吹き暖房運転の暖房負荷が小さい時には、温側吹き出し口を閉じ、かつ、冷側吹き出し口を開いた冷風単独吹き出し運転と、温側吹き出し口を開き、かつ、冷側吹き出し口を開いた温冷風同時吹き出し運転とを交互に設定するように温側風向変更羽根と冷側風向変更羽根を駆動する風向変更手段を制御する風向変更羽根制御手段を設けているので、中能力の温冷風同時吹き出し運転で吹き出された比較的低温の空気を、低能力の冷風単独吹き出し運転で吹き出された室温に近い温度の空気で押し下げて部屋全体を循環させるため、部屋の上下温度差が小さい快適な居住空間を得ることができるという効果がある。
【０１１１】
また、請求項７に係る温風暖房機は、上下温度差が極小になるように、冷風単独吹き出し運転と温冷風同時吹き出し運転との周期を決定し制御する風向変更羽根制御手段を設けているので、部屋の上下温度差の変動が小さくなるように冷風単独吹き出し運転と温冷風同時吹き出し運転との周期を制御するため、部屋の上下温度差が小さい快適な居住空間を得ることができるという効果がある。
【０１１２】
また、請求項８に係る温風暖房機は、冷風単独吹き出し運転の運転騒音と温冷風同時吹き出し運転との運転騒音が等しくなるように、送風機を制御する送風機制御手段を設けているので、運転騒音の変動の少ない低騒音の快適な居住空間を得ることができるという効果がある。
【０１１３】
また、請求項９に係る温風暖房機は、上吹き暖房運転の能力制御時に冷側吹き出し口の開口面積を変化させる冷側風向変更羽根を駆動する風向変更手段を制御する風向変更羽根制御手段を備えているので、冷側風向変更羽根の駆動で温側吹き出し口から吹き出される風量を制御できるため、従来あった送風機の回転数変動による騒音変動の耳障り感が少なくなり、快適性を向上させることができるという効果がある。
【０１１４】
また、請求項１０に係る温風暖房機は、上吹き暖房時に室温が設定温度近傍以上になれば温側吹き出し口を閉じるように制御する風向変更手段を備えているので、室温が設定温度に達して暖房を停止している時に、冷側吹き出し口から比較的低い温度の温風を吹き出して、天井面付近に滞留している暖かい空気を床面に押し下げ、さらに、床面に沿って流れ、上吹き用吸い込み口から吸い込まれるため、暖房停止時にも床面付近の温度が下がらず、快適な居住空間を得ることができるという効果がある。
【図面の簡単な説明】
【図１】本発明の実施例１の温風暖房機の上吹き出し状態を示す構成図
【図２】同温風暖房機の下吹き出し状態を示す構成図
【図３】同温風暖房機の上吹き出し風量に対する上下温度差を示す説明図
【図４】同温風暖房機の熱交換器通過風量に対する熱交換器の暖房能力を示す説明図
【図５】同温風暖房機の気流説明図
【図６】同温風暖房機の垂直温度分布説明図
【図７】（ａ）本発明の実施例２における温風暖房機の下吹き出し状態を示す構成図
（ｂ）同温風暖房機の上吹き出し状態を示す構成図
【図８】（ａ）本発明の実施例３における温風暖房機の温風単独吹き出し運転の状態を示す構成図
（ｂ）同温風暖房機の温冷風同時吹き出し運転の状態を示す構成図
【図９】同温風暖房機の風量に対する暖房能力と騒音値を示す説明図
【図１０】本発明の実施例４における温風暖房機を示す構成図
【図１１】同温風暖房機の温風単独吹き出し運転の時間に対する上下温度差の関係を示す説明図
【図１２】同温風暖房機の温風単独吹き出し運転の時間比率に対する温風単独吹き出し運転の時間を示す説明図
【図１３】（ａ）本発明の実施例５における温風暖房機の温風単独吹き出し運転の状態を示す構成図
（ｂ）同温風暖房機の温冷風同時吹き出し運転の状態を示す構成図
【図１４】同温風暖房機の風量に対する暖房能力と騒音値を示す説明図
【図１５】同温風暖房機の必要能力に対する温風単独吹き出し運転と温冷風同時吹き出し運転の運転比率を示す説明図
【図１６】同温風暖房機の必要風量に対する温風単独吹き出し運転と温冷風同時吹き出し運転の送風機回転数を示す説明図
【図１７】（ａ）本発明の実施例６における温風暖房機の冷風単独吹き出し運転の状態を示す構成図
（ｂ）同温風暖房機の温冷風同時吹き出し運転の状態を示す構成図
【図１８】同温風暖房機の風量に対する暖房能力を示す説明図
【図１９】本発明の実施例７における温風暖房機を示す構成図
【図２０】同温風暖房機の冷風単独吹き出し運転の時間に対する上下温度差の関係を示す説明図
【図２１】同温風暖房機の冷風単独吹き出し運転の時間比率に対する冷風単独吹き出し運転の時間を示す説明図
【図２２】（ａ）本発明の実施例８における温風暖房機の冷風単独吹き出し運転の状態を示す構成図
（ｂ）同温風暖房機の温冷風同時吹き出し運転の状態を示す構成図
【図２３】同温風暖房機の風量に対する暖房能力と騒音値を示す説明図
【図２４】同温風暖房機の必要能力に対する冷風単独吹き出し運転と温冷風同時吹き出し運転の運転比率を示す説明図
【図２５】同温風暖房機の必要風量に対する温風単独吹き出し運転と温冷風同時吹き出し運転の送風機回転数を示す説明図
【図２６】（ａ）本発明の実施例９における温風暖房機の上吹き出し状態を示す室内機の構成図
（ｂ）同温風暖房機の上吹き出し口の拡大説明図
【図２７】同温風暖房機の冷側風向変更羽根の回転角度に対する風量の変化を示す説明図
【図２８】本発明の実施例１０における温風暖房機の室内機の構成図
【図２９】同温風暖房機の気流説明図
【図３０】第一の従来例における温風暖房機の構成図
【図３１】（ａ）第二の従来例における温風暖房機の動作構成図１
（ｂ）同温風暖房機の動作構成図２
【図３２】第一の従来例における温風暖房機の温度分布説明用の部屋の斜視図
【図３３】同温風暖房機の吹き出し温度の分布説明図
【図３４】同温風暖房機の垂直温度分布説明図
【符号の説明】
５  熱交換機
６  送風機
９Ａ  下吹き用吸い込み口
９Ｂ  上吹き用吸い込み口
１４  風回路切り換え手段
１５  ケーシング
１７  バイパス風回路
１８  温側吹き出し口
１９  冷側吹き出し口
２０  風向変更手段
２１  温側風向変更羽根
２２  冷側風向変更羽根
【図１】
0003928270.tif 000002
【図２】
0003928270.tif 000003
【図３】
0003928270.tif 000004
【図４】
0003928270.tif 000005
【図５】
0003928270.tif 000006
【図６】
0003928270.tif 000007
【図７】
0003928270.tif 000008
【図８】
0003928270.tif 000009
【図９】
0003928270.tif 000010
【図１０】
0003928270.tif 000011
【図１１】
0003928270.tif 000012
【図１２】
0003928270.tif 000013
【図１３】
0003928270.tif 000014
【図１４】
0003928270.tif 000015
【図１５】
0003928270.tif 000016
【図１６】
0003928270.tif 000017
【図１７】
0003928270.tif 000018
【図１８】
0003928270.tif 000019
【図１９】
0003928270.tif 000020
【図２０】
0003928270.tif 000021
【図２１】
0003928270.tif 000022
【図２２】
0003928270.tif 000023
【図２３】
0003928270.tif 000024
【図２４】
0003928270.tif 000025
【図２５】
0003928270.tif 000026
【図２６】
0003928270.tif 000027
【図２７】
0003928270.tif 000028
【図２８】
0003928270.tif 000029
【図２９】
0003928270.tif 000030
【図３０】
0003928270.tif 000031
【図３１】
0003928270.tif 000032
【図３２】
0003928270.tif 000033
【図３３】
0003928270.tif 000034
【図３４】
0003928270.tif 000035